(57)【特許請求の範囲】
【請求項１】
手摺を壁に支持部材によって支持してなる手摺の支持構造において、
前記支持部材は、前記壁に固定される固定部と、この固定部に基端部が取り付けられるとともに、先端部で前記手摺を支持するブラケットを備え、
前記ブラケットは、前記手摺の中心部より下方に位置し、かつ前記固定部に取り付けられた取付部と、この取付部から斜め上方に延びて先端部で前記手摺を下方から支持するアーム部とを備え、
前記取付部は、前記アーム部の基端部に向けて斜め下方に傾斜する傾斜部を有し、この傾斜部の下端部に前記アーム部の基端部が設けられ、
このアーム部と前記傾斜部とによって、断面略Ｖ字形の凹所が前記手摺の斜め下方に設けられており、
前記固定部は、前記壁に固定される固定プレートと、この固定プレートに突出形成されて前記取付部が被さるようにして取り付けられる受け部とを備え、
この受け部または前記固定プレートに、前記取付部の傾斜部の上端部を引掛ける引掛け部が形成され、この引掛け部に前記傾斜部の上端部が引掛けられていることを特徴とする手摺の支持構造。
【請求項２】
請求項１に記載の手摺の支持構造において、
前記手摺は、中心部に当該手摺の長手方向に延在し、かつ前記手摺の端面に開口する空洞部を有するとともに、下部に前記手摺の長手方向に延在し、かつ前記手摺の端面に開口するとともに前記空洞部に連通するスリット部を有し、
前記アーム部は、アーム本体とこのアーム本体の上端部に設けられた手摺取付部とを備え、
前記アーム部は、前記手摺取付部を前記手摺の端面から前記空洞部に挿入するとともに、前記アーム本体の上端部を前記手摺の端面から前記スリットに挿入することによって、前記手摺の中心部を当該手摺の長手方向の所定の位置で支持していることを特徴とする手摺の支持構造。
【請求項３】
請求項１または２に記載の手摺の支持構造において、
前記受け部に、前記取付部の傾斜部に当接する当接部が形成され、この当接部に前記傾斜部が当接されていることを特徴とする手摺の支持構造。
【請求項４】
請求項１〜３のいずれか一項に記載の手摺の支持構造において、
前記固定部と前記取付部とを覆うカバーが設けられ、
このカバーに、前記アーム部を通す開口部が形成されていることを特徴とする手摺の支持構造。
【発明の詳細な説明】
【技術分野】
【０００１】
本発明は、手摺の支持構造に関する。
【背景技術】
【０００２】
手摺を壁に支持部材によって支持してなる手摺の支持構造の一例として特許文献１に記載のものが知られている。
この手摺の支持構造は、前記支持部材が手摺子と固定板とで構成されている。そして、固定板が壁に固定され、この固定板に手摺子の基板を固定した構造となっている。
手摺子は固定板に固定される基板と、この基板から弧状に湾曲して延びる手摺子本体とによって構成され、この手摺子本体の先端部に手摺が取り付けられている。
【先行技術文献】
【特許文献】
【０００３】
【特許文献１】実開平４−５２１３３号公報
【発明の概要】
【発明が解決しようとする課題】
【０００４】
ところで、手摺を壁に取り付ける場合、手摺が壁から近いと当該手摺を掴む際に、指が壁に干渉して掴み難くなるので、手摺を壁から所定距離だけ離す必要がある。
このため、前記従来の手摺の支持構造では、手摺を掴み易くするために、手摺を支持する手摺子本体を基板の下端部から上方に湾曲して延びるように構成することによって、手摺と基板や壁との間に所定の間隔を設けている。
一方、手摺子本体（アーム部）には、手摺を掴むことによって曲げモーメントが作用するので、なるべく手摺子本体（アーム部）を短くしたいが、短くしすぎると、手摺と基板や壁との間に所定の間隔を設けることができなくなる。
【０００５】
本発明は上記事情に鑑みてなされたもので、手摺を掴み易くできるとともに手摺を支持するアーム部を短くできる手摺の支持構造を提供することを課題としている。
【課題を解決するための手段】
【０００６】
上記課題を解決するために、請求項１に記載の発明は、例えば図１〜図９に示すように、手摺１を壁３に支持部材２によって支持してなる手摺の支持構造において、
前記支持部材２は、前記壁３に固定される固定部５と、この固定部５に基端部が取り付けられるとともに、先端部で前記手摺１を支持するブラケット６を備え、
前記ブラケット６は、前記手摺１の中心部より下方に位置し、かつ前記固定部５に取り付けられた取付部１０と、この取付部１０から斜め上方に延びて先端部で前記手摺１を下方から支持するアーム部１１とを備え、
前記取付部１０は、前記アーム部１１の基端部に向けて斜め下方に傾斜する傾斜部１２を有し、この傾斜部１２の下端部に前記アーム部１１の基端部が設けられ、
このアーム部１１と前記傾斜部１２とによって、断面略Ｖ字形の凹所１３が前記手摺１の斜め下方に設けられており、
前記固定部５は、前記壁３に固定される固定プレート７と、この固定プレート７に突出形成されて前記取付部１０が被さるようにして取り付けられる受け部８とを備え、
この受け部８または前記固定プレート７に、前記取付部１０の傾斜部１２の上端部を引掛ける引掛け部８ｄが形成され、この引掛け部８ｄに前記傾斜部１２の上端部が引掛けられていることを特徴とする。
【０００７】
請求項１に記載の発明によれば、ブラケット６の取付部１０が、アーム部１１の基端部に向けて斜め下方に傾斜する傾斜部１２を有し、この傾斜部１２の下端部にアーム部１１の基端部が設けられているので、この傾斜部１２の下端部は固定部５より壁３から離れ、その分、アーム部１１を短くできる。
また、アーム部１１の先端部で手摺１を下方から支持し、アーム部１１と傾斜部１２とによって、断面略Ｖ字形の凹所１３が手摺１の斜め下方に設けられているので、手摺１の周囲に当該手摺１を掴み易くするための領域を確保でき、手摺１を掴み易くできる。
また、固定プレート７に突出形成された受け部８にブラケット６の取付部１０が被さるようにして取り付けられるので、ブラケット６を固定部５に安定的に取り付けることができる。
また、受け部８または固定プレート７に形成された引掛け部８ｄに傾斜部１２の上端部が引掛けられているので、手摺１を掴んだ際にブラケット６に作用する力を引掛け部８ｄによって受けることができ、手摺１の支持強度を高めることができる。
【０００８】
請求項２に記載の発明は、請求項１に記載の手摺の支持構造において、
前記手摺１は、中心部に当該手摺１の長手方向に延在し、かつ前記手摺１の端面に開口する空洞部１ｃを有するとともに、下部に前記手摺１の長手方向に延在し、かつ前記手摺１の端面に開口するとともに前記空洞部１ｃに連通するスリット部１ｄを有し、
前記アーム部１１は、アーム本体１５とこのアーム本体１５の上端部に設けられた手摺取付部１６とを備え、
前記アーム部１１は、前記手摺取付部１６を前記手摺１の端面から前記空洞部１ｃに挿入するとともに、前記アーム本体１５の上端部を前記手摺１の端面から前記スリット１ｄに挿入することによって、前記手摺１の中心部を当該手摺１の長手方向の所定の位置で支持していることを特徴とする。
【０００９】
請求項２に記載の発明によれば、前記アーム部１１が、手摺取付部１６を前記手摺１の端面から前記空洞部１ｃに挿入するとともに、アーム本体１５の上端部を前記手摺１の端面から前記スリット１ｄに挿入することによって、前記手摺１の中心部を当該手摺１の長手方向の所定の位置で支持するので、手摺１を下方から確実にかつ安定的に支持できるとともに、アーム本体１５と手摺１との取合い部は、手摺１の下部であるので、手摺１が掴み易くなる。
【００１２】
請求項３に記載の発明は、請求項１または２に記載の手摺の支持構造において、
前記受け部８に、前記取付部１０の傾斜部１２に当接する当接部８ｃが形成され、この当接部８ｃに前記傾斜部１２が当接されていることを特徴とする。
【００１３】
請求項３に記載の発明によれば、受け部８に形成された当接部８ｃに取付部１０の傾斜部１２が当接されているので、手摺１を掴んだ際に、アーム部１１を介して傾斜部１２に作用する力を当接部８ｃによって受けることができ、手摺１を安定的に支持できる。
【００１４】
請求項４に記載の発明は、請求項１〜３のいずれか一項に記載の手摺の支持構造において、
前記固定部５と前記取付部１０とを覆うカバー１８が設けられ、
このカバー１８に、前記アーム部１１を通す開口部１８ａが形成されていることを特徴とする。
【００１５】
請求項４に記載の発明によれば、固定部５と取付部１０とをカバー１８によって覆うことによって、固定部５および取付部１０や、取付部１０を固定部５に固定するためのビス等を隠すことができ、意匠的に優れたものとなる。
【発明の効果】
【００１６】
本発明によれば、手摺を支持する支持部材が、壁に固定される固定部と、この固定部に基端部が取り付けられるとともに、先端部で前記手摺を支持するブラケットを備え、このブラケットが、固定部に取り付けられた取付部と、この取付部から斜め上方に延びて先端部で手摺を下方から支持するアーム部とを備え、前記取付部が、前記アーム部の基端部に向けて斜め下方に傾斜する傾斜部を有し、この傾斜部の下端部に前記アーム部の基端部が設けられ、このアーム部と前記傾斜部とによって、断面略Ｖ字形の凹所が前記手摺の斜め下方に設けられているので、手摺を掴み易くできるとともに、アーム部を短くできる。
【図面の簡単な説明】
【００１７】
【図１】本発明に係る手摺の支持構造の第１の実施の形態を示すもので、その側断面図である。
【図２】同、固定部を示す斜視図である。
【図３】同、固定部にカバーを被せた状態を示す斜視図である。
【図４】同、平断面図である。
【図５】同、固定部を示すもので、（ａ）は側面図、（ｂ）は正面図である。
【図６】同、固定部を示すもので、（ａ）は図５（ｂ）におけるＡ−Ａ線断面図、（ｂ）は図５（ｂ）におけるＢ−Ｂ線断面図である。
【図７】同、ブラケットを示すもので、（ａ）は側面図、（ｂ）は正面図、（ｃ）は背面図、（ｄ）は平面図である。
【図８】同、カバーを示すもので、（ａ）は側面図、（ｂ）は正面図、（ｃ）は背面図である。
【図９】同、カバーを示すもので、（ａ）は図８（ｂ）におけるＡ−Ａ線断面図、（ｂ）は図８（ｂ）におけるＢ−Ｂ線断面図である。
【図１０】本発明に係る手摺の支持構造の第２の実施の形態を示すもので、その側断面図である。
【発明を実施するための形態】
【００１８】
以下、図面を参照して本発明の実施の形態について説明する。
（第１の実施の形態）
図１〜図９は第１の実施の形態を示すものである。
図１は本発明に係る手摺の支持構造の一例を示す側断面図、図２は固定部を示す斜視図、図３は、固定部にカバーを被せた状態を示す斜視図である。
【００１９】
図１〜図３において、符号１は手摺を示す。この手摺１は断面略円形の棒状であり、芯材１ａと、この芯材１ａの周囲に被された表層部材１ｂとを備えている。
また、手摺１は、中心部に当該手摺１の長手方向に延在し、かつ手摺１の端面に開口する空洞部１ｃを有するとともに、下部に手摺１の長手方向に延在し、かつ手摺１の端面に開口するとともに空洞部１ｃに連通するスリット部１ｄを有している。空洞部１ｃは断面略凸形に形成されており、この凸形の下部の矩形部分に後述するアーム部１１の手摺取付部１６が手摺１の端面から挿入され、係合するようになっている。
また、スリット部１ｄは、手摺１の最下部に開口して形成されており、その溝幅は前記空洞部１ｃの幅より狭くなっている。
そして、この手摺１が支持部材２によって下方から支持されている。支持部材２は、壁３に固定される固定部５と、この固定部５に基端部が取り付けられるとともに、先端部で手摺１を支持するブラケット６とを備えている。
【００２０】
前記固定部５は、図１、図２、図５、図６に示すように、壁３に固定される固定プレート７と、この固定プレート７に突出形成されて、後述する取付部１０が被さるようにして係合して取り付けられる受け部８とを備えている。
固定プレート７は、金属製の四角形板状のものであり、その四隅部には、それぞれ木ねじ挿通用の孔７ａが形成されている。そして、固定プレート７を壁３に当接して、孔７ａに木ねじ９を挿通して、壁３にねじ込むことによって、固定プレート７が壁３に固定されている。
【００２１】
前記受け部８は、固定プレート７の表面に当該固定プレート７と一体的に突出形成されたものであり、固定プレート７と平行離間している頂壁部８ａと、固定プレート７の一方の端部から立ち上げられて、頂壁部８ａの一方の端部に接合された立上壁部８ｂと、前記頂壁部８ａの他方の端部から固定プレート７側に向けて傾斜して延びる傾斜壁部８ｃと、前記固定プレート７の表面から突出して、前記傾斜壁部８ｃに接合された突部８ｄと、固定プレート７の表面から立ち上げられて、受け部８の側面を構成する一対の側壁部８ｅ，８ｅとから構成されている。
【００２２】
側壁部８ｅ，８ｅは頂壁部８ａ、立上壁部８ｂ、傾斜壁部８ｃ、突部８ｄを挟む位置に設けられており、これらに接合されている。
このような構成の受け部８の内部は空洞となっており、側壁部８ｅには、空洞に開口するねじ孔８ｆが形成されている。また、突部８ｄは、後述する引掛け部８ｄを構成している。
また、受け部８は、後述する取付部１０の傾斜部１２に当接する当接部８ｃを有している。この当接部８ｃは前記傾斜壁部８ｃによって構成されている。
【００２３】
前記ブラケット６は、前記図１および図７に示すように、手摺１の中心部より下方に位置し、かつ前記固定部５の受け部８に被さるようにして取り付けられる取付部１０と、この取付部１０から斜め上方に延びて先端部で手摺１を下方から支持するアーム部１１とを備えている。
取付部１０は、側面視略台形状に形成されたもので、その内部が空洞となっており、底面が開口している。そして、取付部１０は、空洞を形成する面が前記受け部８に被さって密接することによって、当該受け部８に係合して取り付けられている。取付部１０の対向する側壁部には、ビスを挿入するための孔１０ａが形成されており、図４に示すように、この孔１０ａからビス１０ｂを挿入して、前記ねじ孔８ｆにねじ込むことによって、取付部１０が受け部８に固定されている。
【００２４】
また、取付部１０は、図１に示すように、アーム部１１の基端部に向けて斜め下方に傾斜する傾斜部１２を有している。この傾斜部１２は取付部１０を構成する傾斜壁部１２によって構成されており、この傾斜部１２の下端部に前記アーム部１１の基端部が設けられている。
そして、アーム部１１と傾斜部１２とによって、断面略Ｖ字形の凹所１３が手摺１の斜め下方に設けられている。
また、傾斜部１２の上端部には、断面三角形状の係止部１２ａが形成されており、この係止部１２ａが前記受け部８の突部（引掛け部）８ｄに引掛けられている。
さらに、傾斜部１２は前記受け部８の当接部１２ｃに当接している。
【００２５】
前記アーム部１１は、図１〜図３および図７に示すように、取付部１０から斜め上方に延びるアーム本体１５と、このアーム本体１５の先端部（上端部）に、当該アーム本体１５と直角に設けられて、手摺１が取り付けられる手摺取付部１６とから構成されている。
アーム本体１５は、先端部（上端部）に向かうに従って漸次細くなるよう形成されており、その長手方向の二箇所で屈曲部し、先端側の屈曲部より上に位置する上端部１５ａは鉛直に向けられている。
前記手摺取付部１６は断面矩形の棒状に形成され、その長手方向中央部に前記アーム本体１の先端部が固定されている。また、手摺取付部１６には、複数のねじ孔１６ａが手摺取付部１６の長手方向に所定間隔で形成されている。手摺取付部１６の断面形状は、前記手摺１に形成された断面略凸形の下部の矩形部分の断面形状とほぼ等しいか若干小さくなっている。
そして、アーム部１１は、その手摺取付部１６を手摺１の端面から空洞部１ｃの下部の矩形部分に挿入するとともに、アーム本体１５の上端部を手摺１の端面からスリット１ｄに挿入することによって、手摺１の中心部を当該手摺１の長手方向の所定の位置で支持しており、この状態で前記ねじ孔１６ａに手摺１の芯材１ａからねじをねじ込むことによって、手摺取付部１６が芯材１ａに固定されている。これによって、手摺１の中心部である芯材１ａがアーム部１１によって下方から支持されている。
また、スリット部１ｄの溝幅が前記空洞部１ｃの幅より狭くなっているので、この空洞部１ｃに挿入されている手摺取付部１６によって、手摺１の上方への抜け出が防止されている。
【００２６】
また、図１および図３に示すように、前記固定部５と取付部１０とはカバー１８によって覆われている。カバー１８は、図８および図９に示すように、側面視略台形状に形成されており、その内部は空洞となっている。また、カバー１８の頂面、底面および一つの側面の一部は開口しており、頂面の開口部１８ａにアーム部１１が通されている。
また、カバー１８の開口部１８ａの対向する縁部には、底面側に向けて延在する爪部１８ｂ，１８ｂが形成されている。
【００２７】
そして、カバー１８はその底面の開口部から、固定部５および取付部１０に被せるようにして設けられており、これによって、固定部５と取付部１０とを覆っている。また、カバー１８を被せる際に、前記爪部１８ｂ，１８ｂはアーム部１１の側面によって弾性的に拡げられ、カバー１８が固定部５と取付部１０に被さった際に、爪部１８ｂ，１８ｂが弾性復帰して、アーム部１１と取付部１０との間にある段差部１１ｂ（図７（ａ）参照）に係合するようになっている。
【００２８】
次に、本実施の形態の手摺の支持構造の施工方法の一例について説明する。
まず、固定プレート７とブラケット６を予めビス１０ｂで固定し組み立てておく。この組立は、ブラケット６の取付部１０を固定プレート７の受け部８に被せて係合させたうえで、取付部１０の孔１０ａからビス１０ｂを挿入して、受け部８のねじ孔８ｆにねじ込むことによって行う。
次に、固定プレート７が取り付けられたブラケット６を手摺１に適宜間隔で所要数取り付ける。この取り付けは、ブラケット６の手摺取付部１６を手摺１の端面から空洞部１ｃの下部の矩形部分に挿入するとともに、アーム本体１５の上端部を手摺１の端面からスリット１ｄに挿入し、さらこれらを手摺１の長手方向に移動させたうえで、所定の位置で手摺取付部１６を手摺１に固定することによって行う。なお、ブラケット６が取り付けられた手摺１の端面開口は図示しないキャップを被せることによって覆う。
このようにして組み立てられた状態で固定プレート７の木ねじ挿通用の孔７ａはブラケット６や手摺１と干渉しないようにブラケット６の取付部１０の両側に位置しているので、組み立てた状態のまま固定プレート７を壁３に当てて正面から木ねじ９で固定することができる。
【００２９】
最後にカバー１８を被せて木ねじ９やビス１０ｂを覆って施工完了となる。
また、施工状態において、カバー１８を外してビス１０ｂを外すことにより、ブラケット６を固定プレート７から分離できるので、壁３に木ねじ９を打ち直すことなくブラケット６ごと手摺１が着脱可能であり、壁紙の張替え等の際、一時的に手摺１を外しておくことができる。
【００３０】
本実施の形態によれば、ブラケット６の取付部１０が、アーム部１１の基端部に向けて斜め下方に傾斜する傾斜部１２を有し、この傾斜部１２の下端部にアーム部１１の基端部が設けられているので、この傾斜部１２の下端部は固定部５より壁３から離れ、その分、アーム部１１を短くできる。
また、アーム部１１の先端部で手摺１を下方から支持し、アーム部１１と傾斜部１２とによって、断面略Ｖ字形の凹所１３が手摺１の斜め下方に設けられているので、手摺１の周囲に当該手摺１を掴み易くするための領域を確保でき、手摺１を掴み易くできる。
また、前記アーム部１１が、手摺取付部１６を前記手摺１の端面から前記空洞部１ｃに挿入するとともに、アーム本体１５の上端部を前記手摺１の端面から前記スリット１ｄに挿入することによって、前記手摺１の中心部を当該手摺１の長手方向の所定の位置で支持するので、手摺１を下方から確実にかつ安定的に支持できるとともに、アーム本体１５と手摺１との取合い部は、手摺１の最下部であるので、手摺１が掴み易くなる。
【００３１】
さらに、固定プレート７に突出形成された受け部８にブラケット６の取付部１０が被さるようにして取り付けられているので、ブラケット６を固定部５に安定的に取り付けることができる。
また、受け部８に形成された引掛け部８ｄに取付部１０の先端部が引掛けられているので、ブラケット６に作用する力を引掛け部８ｄによって受けることができ、手摺１の支持強度を高めることができる。
また、受け部８に形成された当接部８ｃに取付部１０の傾斜部１２が当接されているので、手摺１を掴んだ際に、アーム部１１を介して傾斜部１２に作用する力を当接部８ｃによって受けることができ、手摺１を安定的に支持できる。
加えて、固定部５と取付部１０とをカバー１８によって覆うことによって、固定部５および取付部１０や、取付部１０を固定部５に固定するためのビス１０ｂ等を隠すことができ、意匠的に優れたものとなる。
【００３２】
（第２の実施の形態）
図１０は第２の実施の形態を示すもので、その側断面図である。
図１０に示すように、本実施の形態の手摺の支持構造では、手摺２１が壁３に支持部材２２によって支持されている。
手摺２１は断面略円形の棒状であり、芯材２１ａと、この芯材２１ａの周囲に被された表層部材２１ｂとを備えている。
そして、この手摺２１が支持部材２２によって下方から支持されている。
支持部材２２は、壁３に固定される固定部２５と、この固定部２５に基端部が取り付けられるともに、先端部で手摺２１を支持するブラケット２６を備えている。
【００３３】
固定部２５は、壁３に固定される固定プレート２７と、この固定プレート２７に突出形成されて、後述する取付部３０が被さるようにして取付けられる受け部２８ａ，２８ｂとを備えている。そして、固定プレート２７が壁３に当接され、この固定プレート２７を通して木ねじ２４を壁３にねじ込むことによって、固定プレート２７が壁３に固定されている。
【００３４】
前記ブラケット２６は、手摺２１の中心部より下方に位置し、かつ前記固定部２５に取り付けられる取付部３０と、この取付部３０から斜め上方に延びて先端部で手摺２１を下方から支持するアーム部３１とを備えている。
取付部３０は、その内部が空洞となっており、底面が開口している。また、取付部３０の裏面には、前記受け部２８ａ，２８ｂに当接される当接部３０ａ，３０ｂが形成されている。そして、取付部３０は固定プレート２７にこれを覆うようにして取り付けられており、この状態において、当接部３０ａ，３０ｂが受け部２８ａ，２８ｂに当接して取り付けられている。また、当接部３０ｂと受け部２８ｂとはビス２９によって接合固定されている。
【００３５】
また、取付部３０は、アーム部３１の基端部に向けて斜め下方に傾斜する傾斜部３２を有し、この傾斜部３２の下端部にアーム部３１の基端部が設けられている。そして、アーム部３１と傾斜部３２とによって、断面略Ｖ字形の凹所３３が手摺２１の斜め下方に設けられている。
また、傾斜部３２の上端部には係止部３２ａが形成されており、この係止部３２ａが前記固定プレート２７の上端部の引掛け部２７ａに引掛けられている。
また、アーム部３１の先端部は手摺２１の最下部から手摺内部に挿入されて当該手摺２１の中心部を支持している。
【００３６】
前記アーム部３１は、先端部（上端部）に向かうに従って漸次細くなるよう形成されており、その長手方向の二箇所で屈曲部し、先端側の屈曲部より上に位置する上端部３１ａは鉛直に向けられている。
そして、この上端部３１ａが手摺２１の最下部から手摺２１の内部に挿入され、手摺２１の芯材２１ａから上端部２１ａねじ２３をねじ込むことによって、上端部３１ａが芯材２１ａに固定されている。これによって、手摺２１の中心部である芯材２１ａがアーム部３１によって下方から支持されている。
【００３７】
本実施の形態によれば、ブラケット２６の取付部３０が、アーム部３１の基端部に向けて斜め下方に傾斜する傾斜部３２を有し、この傾斜部３２の下端部にアーム部３１の基端部が設けられているので、この傾斜部３２の下端部は固定部２５より壁３から離れ、その分、アーム部３１を短くできる。
また、アーム部３１の先端部で手摺２１を下方から支持し、アーム部３１と傾斜部３２とによって、断面略Ｖ字形の凹所３３が手摺２１の斜め下方に設けられているので、手摺２１の周囲に当該手摺１を掴み易くするための領域を確保でき、手摺２１を掴み易くできる。
また、アーム部３１の先端部は手摺２１の最下部から手摺内部に挿入されて当該手摺２１の中心部を支持するので、手摺２１を下方から確実に支持できるとともに、アーム部３１１と手摺２１との取合い部は、手摺２１の最下部であるので、手摺２１が掴み易くなる。
【００３８】
さらに、固定プレート２７に突出形成された受け部２８ａ，２８ｂにブラケット２６の取付部３０が被さるようにして取り付けられているので、ブラケット２６を固定部２５に安定的に取り付けることができる。
また、固定プレート２７に形成された引掛け部２７ａに取付部３０の先端部が引掛けられているので、ブラケット２６に作用する力を引掛け部２７ａによって受けることができ、手摺２１の支持強度を高めることができる。
【００３９】
なお、本実施の形態おいても、第１の実施の形態と同様に、カバー１８を固定部２５および取付部３０に被せるようにして設けてもよい。
また、前記二つの実施の形態では、アーム部１１，３１の先端部を、手摺１，２１最下部から手摺内部に挿入して、当該手摺１，２１の中心部を支持するようにしたが、これに代えて、アーム部１１，３１の先端部によって手摺１，２１の最下部を支持するようにしてもよい。
【符号の説明】
【００４０】
１，２１  手摺
１ｃ  空洞部
１ｄ  スリット部
２，２２  支持部材
３  壁
５，２５  固定部
６，２６  ブラケット
７，２７  固定プレート
８，２８ａ，２８ｂ  受け部
８ｃ  当接部
８ｄ，２７ａ  引掛け部
１０，３０  取付部
１１，３１  アーム部
１２，３２  傾斜部
１３，３３  凹所
１５  アーム本体
１６  手摺取付部
【図１】
0005726617.tif 000002
【図２】
0005726617.tif 000003
【図３】
0005726617.tif 000004
【図４】
0005726617.tif 000005
【図５】
0005726617.tif 000006
【図６】
0005726617.tif 000007
【図７】
0005726617.tif 000008
【図８】
0005726617.tif 000009
【図９】
0005726617.tif 000010
【図１０】
0005726617.tif 000011